(57)【特許請求の範囲】
【請求項１】
吸気口と排気口を有する本体ケースと、この本体ケース内に脱臭手段と、加湿手段と、送風手段とを設け、前記送風手段によって、前記吸気口から順次、前記脱臭手段、前記加湿手段を介して、前記排気口へ空気を送風する第１の風路と、前記吸気口から順次、前記脱臭手段を介して、前記排気口へ空気を送風する第２の風路とを備え、前記脱臭手段は、第１の脱臭部と第２の脱臭部とから構成し、この第２の脱臭部は、前記第１の脱臭部より圧力損失が小さいとともに、前記加湿手段に対向した構成とした加湿機能付空気清浄装置。
【請求項２】
脱臭手段は、複数の開口部を備えた格子形状の活性炭保持体と、この活性炭保持体に固着した活性炭と、この活性炭を固着した前記活性炭保持体を包むカバー部とを設け、前記活性炭保持体は、前記第１の脱臭部である第１の活性炭保持体と、前記第２の脱臭部である第２の活性炭保持体とから形成し、前記第２の脱臭部である第２の活性炭保持体の格子の間隔が前記第１の脱臭部である第１の活性炭保持体の格子の間隔より大きい構成とした請求項１に記載の加湿機能付空気清浄装置。
【請求項３】
脱臭手段は、複数の開口部を備えた格子形状の活性炭保持体と、この活性炭保持体に固着した活性炭と、この活性炭を固着した前記活性炭保持体を包むカバー部とを設け、前記活性炭保持体は、前記第１の脱臭部である第１の活性炭保持体と、前記第２の脱臭部である第２の活性炭保持体とから形成し、前記第２の脱臭部である第２の活性炭保持体に固着した活性炭の量が前記第１の脱臭部である第１の活性炭保持体の固着した活性炭の量より小さい構成とした請求項１に記載の加湿機能付空気清浄装置。
【請求項４】
脱臭手段は、複数の開口部を備えた格子形状の活性炭保持体と、この活性炭保持体に固着した活性炭と、この活性炭を固着した前記活性炭保持体を包むカバー部とを設け、前記活性炭保持体は、前記第１の脱臭部である第１の活性炭保持体と、前記第２の脱臭部である第２の活性炭保持体とから形成し、前記第２の脱臭部である第２の活性炭保持体には活性炭を固着しない構成とした請求項１に記載の加湿機能付空気清浄装置。
【請求項５】
脱臭手段は、前記第２の脱臭部の外周部に第３の脱臭部を設け、この第３の脱臭部は、前記第１の脱臭部、および前記第２の脱臭部より圧力損失が大きい構成とした請求項１に記載の加湿機能付空気清浄装置。
【請求項６】
脱臭手段は、複数の開口部を備えた格子形状の活性炭保持体と、この活性炭保持体に固着した活性炭と、この活性炭を固着した前記活性炭保持体を包むカバー部とを設け、前記活性炭保持体は、前記第１の脱臭部である第１の活性炭保持体と、前記第２の脱臭部である第２の活性炭保持体と、前記第３の脱臭部である第３の活性炭保持体とから形成し、前記第１の脱臭部である第１の活性炭保持体に固着した活性炭の量が前記第３の脱臭部である第３の活性炭保持体の固着した活性炭の量より小さく、前記第２の脱臭部である第２の活性炭保持体には活性炭を固着しない構成とした請求項５に記載の加湿機能付空気清浄装置。
【発明の詳細な説明】
【技術分野】
【０００１】
本発明は、空気を浄化しながら加湿することのできる加湿機能付空気清浄装置に関する。
【背景技術】
【０００２】
従来のこの種の加湿機能付空気清浄装置の構成は以下のようになっていた。
【０００３】
すなわち、吸気口と排気口を有する本体ケースと、この本体ケース内で、前記吸気口から前記排気口に送風される送風路に集塵フィルターや脱臭フィルターを装着した空気清浄手段を設け、この空気清浄手段の前記送風路下流に加湿手段を設け、前記空気清浄手段と前記加湿手段との間に送風手段を設けた構成となっていた。例えば、これに類似する先行文献は下記特許文献１に記載されている。（例えば、これに類似する先行文献は下記特許文献１に記載されている。）。
【先行技術文献】
【特許文献】
【０００４】
【特許文献１】特開２０１０−１２１７８７号公報
【発明の概要】
【発明が解決しようとする課題】
【０００５】
上記従来例における課題は、加湿能力が低いということであった。
【０００６】
すなわち、従来の物においては、吸気口から排気口に送風される送風路に集塵フィルターや脱臭フィルターを装着した空気清浄手段を設け、この空気清浄手段の送風路下流に加湿手段を設け、空気清浄手段と加湿手段との間に送風手段を設けた構成となっていた。つまり、吸気口から吸込まれた室内の空気は、集塵フィルターと、脱臭フィルターと、加湿手段とを介して排気口より室内に送風されるので、集塵フィルター、脱臭フィルター、加湿手段での圧損が送風手段にかかり、送風手段での騒音が大きくなるものであった。
【０００７】
そこで、吸気口から吸込まれた室内の空気を、空気清浄手段から加湿手段を介さずに排気口に送風する別風路を設け、この別風路に吸気口から吸込まれた室内の空気の一部を送風することにより、送風手段にかかる圧損を低減し、送風手段での騒音を低減するものであったが、同時に加湿手段を通過する風量が減り、加湿能力が低くなるというものであった。
【０００８】
そこで本発明は、加湿能力の向上を目的とするものである。
【課題を解決するための手段】
【０００９】
そしてこの目的を達成するために本発明は、吸気口と排気口を有する本体ケースと、この本体ケース内に脱臭手段と、加湿手段と、送風手段とを設け、前記送風手段によって、前記吸気口から順次、前記脱臭手段、前記加湿手段を介して、前記排気口へ空気を送風する第１の風路と、前記吸気口から順次、前記脱臭手段を介して、前記排気口へ空気を送風する第２の風路とを備え、前記脱臭手段は、第１の脱臭部と第２の脱臭部とから構成し、この第２の脱臭部は、前記第１の脱臭部より圧力損失が小さいとともに、前記加湿手段に対向した構成とし、これにより、初期の目的を達成するものである。
【発明の効果】
【００１０】
以上のように本発明は、吸気口と排気口を有する本体ケースと、この本体ケース内に脱臭手段と、加湿手段と、送風手段とを設け、前記送風手段によって、前記吸気口から順次、前記脱臭手段、前記加湿手段を介して、前記排気口へ空気を送風する第１の風路と、前記吸気口から順次、前記脱臭手段を介して、前記排気口へ空気を送風する第２の風路とを備え、前記脱臭手段は、第１の脱臭部と第２の脱臭部とから構成し、この第２の脱臭部は、前記第１の脱臭部より圧力損失が小さいとともに、前記加湿手段に対向した構成としたものであり、これにより加湿能力を高めることができるものである。
【００１１】
すなわち、送風手段によって、吸気口から順次、脱臭手段、加湿手段を介して、排気口へ空気を送風する第１の風路と、吸気口から順次、脱臭手段を介して、排気口へ空気を送風する第２の風路とを備え、この脱臭手段は、第１の脱臭部と第２の脱臭部とから構成し、この第２の脱臭部は、加湿手段に対向するとともに、第１の脱臭部より圧力損失が小さいものであり、送風手段によって第１の風路を通過する空気は、吸気口から、主に第１の脱臭部より圧力損失が小さい第２の脱臭部、加湿手段を介して、排気口へ送風されるので、加湿手段を通過する風量が増加するものである。
【００１２】
これらの結果により、加湿能力を向上させることができるものである。
【図面の簡単な説明】
【００１３】
【図１】本発明の実施の形態１の加湿機能付空気清浄装置の概略図
【図２】同加湿機能付空気清浄装置の概略断面を示す図
【図３】同加湿機能付空気清浄装置の加湿手段の断面を示す図
【図４】同加湿機能付空気清浄装置の脱臭手段の概略図
【図５】本発明の実施の形態２の加湿機能付空気清浄装置の脱臭手段の概略図
【図６】本発明の実施の形態３の加湿機能付空気清浄装置の脱臭手段の概略図
【図７】本発明の実施の形態４の加湿機能付空気清浄装置の脱臭手段の概略図
【発明を実施するための形態】
【００１４】
以下、本実施形態を添付図面を用いて説明する。
【００１５】
（実施の形態１）
図１から図３に示すように、本実施形態の加湿機能付空気清浄装置１は、吸気口２と排気口３を有する本体ケース４と、この本体ケース４内に設けた空気清浄手段５と、この空気清浄手段５の下流側に脱臭手段６と、この脱臭手段６下流側に加湿手段７とを備えている。
【００１６】
吸気口２は、本体ケース４の両側面、および本体ケース４の前面下部とに位置し、排気口３は、本体ケース４の上面に位置している。
【００１７】
空気清浄手段５は、縦長箱形状で、濾材が蛇腹形状に折られたものであり、吸気口２の風路風下側に設けられている。この空気清浄手段５の風路風下側に脱臭手段６を備えている。
【００１８】
加湿手段７は、脱臭手段６の風路風下側に設けており、一定量の水が溜まった水槽８と、この水槽８の水に下端が常に浸漬した円板状の加湿フィルター部９と、この加湿フィルター部９に水槽８の水を汲み上げ、給水する給水部１０と、加湿フィルター部９と給水部１０とを固定する円板状のフィルター枠部１１と、このフィルター枠部１１の中央部の軸部１２を中心に回転させる回転手段１３とから形成されている。加湿手段７の風路風下側に、吸気口２から排気口３へ空気を送風する送風手段１４を設けている。
【００１９】
水槽８は、上面が開口した略横長箱形状で、水槽８の端部には水タンク１５が装着され、その水タンク１５から水が供給され、これにより水槽８内の水位は略一定状態が保たれる様になっている。
【００２０】
加湿フィルター部９は、２枚の円板状の第１の層の間に第２の層を挟んだ３層構造であり、第２の層は第１の層に対し垂直方向の複数の糸により形成されている。つまり、第２の層は第１の層を繊維で連結した三次元構造体としたものである。
【００２１】
送風手段１４によって吸気口２から吸込まれた空気は、第１の風路１６、または第２の風路１７を介して排気口３へ送風されるものである。第１の風路１６は、吸気口２から順次、空気清浄手段５、脱臭手段６、加湿フィルター部９を介して、排気口３へ連通し、第２の風路は、吸気口２から順次、空気清浄手段５、脱臭手段６を介して、加湿フィルター部９を介さずに排気口３へ連通している。
【００２２】
このような構成における空気清浄および、加湿動作について説明する。
【００２３】
水タンク１５より水槽８に常時一定の水位となるように水が供給される。この水に加湿手段７の給水部１０と加湿フィルター部９の一部が常時浸かった状態となる。ここで回転手段１３によってフィルター枠部１１を回転させることで、水を汲んだ給水部１０と加湿フィルター部９が回転し、給水部１０によって汲み上げられた水が頂上付近で、加湿フィルター部９に水を供給する。つまり回転手段１３によりフィルター枠部１１を回転させ続けることで加湿フィルター部９は常時水を保持した状態に保たれる。
【００２４】
ここで、送風手段１４を動かすことにより、第１の風路１６では、吸気口２から順次、空気清浄手段５、脱臭手段６、水を保持した状態の加湿フィルター部９を通過し加湿清浄空気となり、排気口３から室内に排出される。第２の風路１７では、吸気口２から順次、空気清浄手段５、脱臭手段６を通過し清浄空気となり、排気口３から室内に排出される。
【００２５】
本実施形態における特徴は、図４に示すように、脱臭手段６は、第１の脱臭部１８と第２の脱臭部１９とから構成し、この第２の脱臭部１９は、第１の脱臭部１８より圧力損失が小さいとともに、加湿手段７の加湿フィルター部９に対向した構成とした点である。
【００２６】
すなわち、送風手段１４によって、吸気口２から順次、脱臭手段６、加湿フィルター部９を介して、排気口３へ空気を送風する第１の風路１６と、吸気口２から順次、脱臭手段６を介して、排気口３へ空気を送風する第２の風路１７とを備え、この脱臭手段６は、第１の脱臭部１８と第２の脱臭部１９とから構成し、この第２の脱臭部１９は、加湿手段７の加湿フィルター部９に対向するとともに、第１の脱臭部１８より圧力損失が小さいものであり、送風手段１４によって第１の風路１６を通過する空気は、吸気口２から、主に第１の脱臭部１８より圧力損失が小さい第２の脱臭部１９、加湿フィルター部９を介して、排気口３へ送風されるので、加湿フィルター部９を通過する風量が増加するものである。
【００２７】
これらの結果により、加湿能力を向上させることができるものである。
【００２８】
また、脱臭手段６は、複数の開口部を備えた格子形状の活性炭保持体２０と、この活性炭保持体２０に固着した活性炭２１と、この活性炭２１を固着した活性炭保持体２０を包むメッシュ状のカバー部２２とを設けている。活性炭保持体２０は、第１の脱臭部１８である第１の活性炭保持体２３と、第２の脱臭部１９である第２の活性炭保持体２４とから形成し、第２の脱臭部１９である第２の活性炭保持体２４の格子の間隔が、第１の脱臭部１８である第１の活性炭保持体２３の格子の間隔より大きい構成としたものである。具体的には、脱臭手段６は、略縦長四角形状で、中央部に第２の脱臭部１９を設け、この第２の脱臭部１９の上部と下部とに第１の脱臭部１８が位置する構成である。
【００２９】
すなわち、第１の脱臭部１８である第１の活性炭保持体２３と、第２の脱臭部１９である第２の活性炭保持体２４にはほぼ同量の活性炭２１を固着しており、第２の脱臭部１９である第２の活性炭保持体２４の格子の間隔が、第１の脱臭部１８である第１の活性炭保持体２３の格子の間隔より大きいので、第２の脱臭部１９は、第１の脱臭部１８より開口部の面積が大きく、圧力損失が小さいものである。送風手段１４によって第１の風路１６を通過する空気は、吸気口２から、主に第１の脱臭部１８より圧力損失が小さい第２の脱臭部１９、加湿フィルター部９を介して、排気口３へ送風されるので、加湿フィルター部９を通過する風量が増加するものである。
【００３０】
これらの結果により、加湿能力を向上させることができるものである。
【００３１】
（実施の形態２）
以下、本発明の実施の形態２における加湿機能付空気清浄装置について図面を参照しながら説明する。なお、実施の形態１の構成と同様の構成を有するものについては、同一符号を付してその説明を省略する。
【００３２】
図５に示すように、脱臭手段６Ａは、複数の開口部を備えた格子形状の活性炭保持体２０Ａと、この活性炭保持体２０Ａに固着した活性炭２１と、この活性炭２１を固着した活性炭保持体２０Ａを包むメッシュ状のカバー部２２とから形成している。活性炭保持体２０Ａは、第１の脱臭部１８Ａである第１の活性炭保持体２３Ａと、第２の脱臭部１９Ａである第２の活性炭保持体２４Ａとから形成し、第２の脱臭部１９Ａである第２の活性炭保持体２４Ａに固着した活性炭の量が、第１の脱臭部１８Ａである第１の活性炭保持体２３Ａの固着した活性炭の量より小さい構成としたものである。具体的には、脱臭手段６Ａは、略縦長四角形状で、中央部に第２の脱臭部１９Ａを設け、この第２の脱臭部１９Ａの上部と下部とに第１の脱臭部１８Ａが位置する構成である。
【００３３】
すなわち、第１の脱臭部１８Ａである第１の活性炭保持体２３Ａの格子の間隔と、第２の脱臭部１９Ａである第２の活性炭保持体２４Ａの格子の間隔が同じであるが、第２の脱臭部１９Ａである第２の活性炭保持体２４Ａに固着している活性炭２１の量が、第１の脱臭部１８Ａである第１の活性炭保持体２３Ａに固着している活性炭２１の量より小さいので、第２の脱臭部１９Ａは、第１の脱臭部１８Ａより開口部の面積が大きく、圧力損失が小さいものである。送風手段１４によって第１の風路１６を通過する空気は、吸気口２から、主に第１の脱臭部１８Ａより圧力損失が小さい第２の脱臭部１９Ａ、加湿フィルター部９を介して、排気口３へ送風されるので、加湿フィルター部９を通過する風量が増加するものである。これらの結果により、加湿能力を向上させることができるものである。
【００３４】
また、吸気口２から順次、空気清浄手段５、主に第１の脱臭部１８Ａを介して、排気口３へ連通している第２の風路１７は、吸気口２から順次、空気清浄手段５、第２の脱臭部１９Ａ、加湿フィルター部９を介して、排気口３へ連通する第１の風路１６に比べ、加湿フィルター部９を介していないので、圧損が小さく風量が大きくなる。つまり、活性炭２１の量が、第２の脱臭部１９Ａより大きい第１の脱臭部１８Ａに多くの風量が流れるので、効率よく脱臭することができる。
【００３５】
（実施の形態３）
以下、本発明の実施の形態３における加湿機能付空気清浄装置について図面を参照しながら説明する。なお、実施の形態１の構成と同様の構成を有するものについては、同一符号を付してその説明を省略する。
【００３６】
図６に示すように、脱臭手段６Ｂは、複数の開口部を備えた格子形状の活性炭保持体２０Ｂと、この活性炭保持体２０Ｂに固着した活性炭２１と、この活性炭２１を固着した活性炭保持体２０Ｂを包むメッシュ状のカバー部２２とから形成し、活性炭保持体２０Ｂは、第１の脱臭部１８Ｂである第１の活性炭保持体２３Ｂと、第２の脱臭部１９Ｂである第２の活性炭保持体２４Ｂとから形成し、第１の脱臭部１８Ｂである第１の活性炭保持体２３Ｂには、活性炭２１を固着し、第２の脱臭部１９Ｂである第２の活性炭保持体２４Ｂには、活性炭２１を固着しない構成としたものである。具体的には、脱臭手段６Ｂは、略縦長四角形状で、中央部に第２の脱臭部１９Ｂを設け、この第２の脱臭部１９Ｂの上部と下部とに第１の脱臭部１８Ｂが位置する構成である。
【００３７】
すなわち、第１の脱臭部１８Ｂである第１の活性炭保持体２３Ｂの格子の間隔と、第２の脱臭部１９Ｂである第２の活性炭保持体２４Ｂの格子の間隔が同じであるが、第２の脱臭部１９Ｂである第２の活性炭保持体２４Ｂには活性炭２１を固着しないので、第２の脱臭部１９Ｂは、第１の脱臭部１８Ｂより開口部の面積が大きく、圧力損失が小さいものである。送風手段１４によって第１の風路１６を通過する空気は、吸気口２から、主に第１の脱臭部１８Ｂより圧力損失が小さい第２の脱臭部１９Ｂ、加湿フィルター部９を介して、排気口３へ送風されるので、加湿フィルター部９を通過する風量が増加するものである。これらの結果により、加湿能力を向上させることができるものである。
【００３８】
また、吸気口２から順次、空気清浄手段５、主に第１の脱臭部１８Ａを介して、排気口３へ連通している第２の風路１７は、吸気口２から順次、空気清浄手段５、第２の脱臭部１９Ａ、加湿フィルター部９を介して、排気口３へ連通する第１の風路１６に比べ、加湿フィルター部９を介していないので、圧損が小さく風量が大きくなる。つまり、活性炭２１が固着している、第１の脱臭部１８Ｂに多くの風量が流れるので、効率よく脱臭することができる。
【００３９】
（実施の形態４）
以下、本発明の実施の形態４における加湿機能付空気清浄装置について図面を参照しながら説明する。なお、実施の形態１の構成と同様の構成を有するものについては、同一符号を付してその説明を省略する。
【００４０】
図７に示すように、脱臭手段６Ｃは、第２の脱臭部１９Ｃの外周部に第３の脱臭部２５Ｃを設け、この第３の脱臭部２５Ｃは、第１の脱臭部１８Ｃ、および第２の脱臭部１９Ｃより圧力損失が大きい構成としたものである。具体的には、脱臭手段６Ｃは、複数の開口部を備えた格子形状の活性炭保持体２０Ｃと、この活性炭保持体２０Ｃに固着した活性炭２１と、この活性炭２１を固着した活性炭保持体２０Ｃを包むメッシュ状のカバー部２２とから形成している。活性炭保持体２０Ｃは、第１の脱臭部１８Ｃである第１の活性炭保持体２３Ｃと、第２の脱臭部１９Ｃである第２の活性炭保持体２４Ｃと、第３の脱臭部２５Ｃである第３の活性炭保持体２６Ｃとから形成し、第１の脱臭部１８Ｃである第１の活性炭保持体２３Ｃに固着した活性炭２１の量が、第３の脱臭部２５Ｃである第３の活性炭保持体２６Ｃの固着した活性炭２１の量より小さく、第１の脱臭部１８Ｂである第１の活性炭保持体２３Ｃには、活性炭２１を固着し、第２の脱臭部１９Ｃである第２の活性炭保持体２４Ｃには活性炭を固着しない構成としたものである。
【００４１】
すなわち、第１の脱臭部１８Ｃである第１の活性炭保持体２３Ｃの格子の間隔と、第２の脱臭部１９Ｃである第２の活性炭保持体２４Ｃの格子の間隔と、第３の脱臭部２５Ｃである第３の活性炭保持体２６Ｃの格子の間隔とは同じであるが、第２の脱臭部１９Ｃである第２の活性炭保持体２４Ｃには活性炭２１を固着しないで、第３の脱臭部２５Ｃである第３の活性炭保持体２６Ｃに固着している活性炭２１の量が、第１の脱臭部１８Ｃである第１の活性炭保持体２３Ｃに固着している活性炭２１の量より大きいので、第１の脱臭部１８Ｃは、第３の脱臭部２５Ｃより開口部の面積が大きく、圧力損失が小さいものであり、第２の脱臭部１９Ｃは、第１の脱臭部１８Ｃより開口部の面積が大きく、圧力損失が小さいものである。つまり、第２の脱臭部１９Ｃの開口部の面積が最も大きく、圧力損失が最も小さいものである。よって送風手段１４によって第１の風路１６を通過する空気は、吸気口２から、主に圧力損失が最も小さい第２の脱臭部１９Ｃ、加湿フィルター部９を介して、排気口３へ送風されるので、加湿フィルター部９を通過する風量が増加するものである。
【００４２】
更に、第３の脱臭部２５Ｃである第３の活性炭保持体２６Ｃに固着している活性炭２１の量は最も大きく、最も圧力損失が大きくなり、第３の脱臭部２５Ｃには流れ込み難いので、第３の脱臭部２５Ｃに流れ込もうとした空気の一部が、圧力損失が最も小さい第２の脱臭部１９Ｃに流れ込み、加湿フィルター部９を介して、排気口３へ送風されるので、加湿フィルター部９を通過する風量が増加するものである。
【００４３】
これらの結果により、加湿能力を向上させることができるものである。
【産業上の利用可能性】
【００４４】
以上のように本発明は、吸気口と排気口を有する本体ケースと、この本体ケース内に脱臭手段と、加湿手段と、送風手段とを設け、前記送風手段によって、前記吸気口から順次、前記脱臭手段、前記加湿手段を介して、前記排気口へ空気を送風する第１の風路と、前記吸気口から順次、前記脱臭手段を介して、前記排気口へ空気を送風する第２の風路とを備え、前記脱臭手段は、第１の脱臭部と第２の脱臭部とから構成し、この第２の脱臭部は、前記第１の脱臭部より圧力損失が小さいとともに、前記加湿手段に対向した構成としたものであり、これにより加湿能力を高めることができるものである。
【００４５】
すなわち、送風手段によって、吸気口から順次、脱臭手段、加湿手段を介して、排気口へ空気を送風する第１の風路と、吸気口から順次、脱臭手段を介して、排気口へ空気を送風する第２の風路とを備え、この脱臭手段は、第１の脱臭部と第２の脱臭部とから構成し、この第２の脱臭部は、加湿手段に対向するとともに、第１の脱臭部より圧力損失が小さいものであり、送風手段によって第１の風路を通過する空気は、吸気口から、主に第１の脱臭部より圧力損失が小さい第２の脱臭部、加湿手段を介して、排気口へ送風されるので、加湿手段を通過する風量が増加するものである。
【００４６】
これらの結果により、加湿能力を向上させることができるものである。
【００４７】
従って、家庭用や事務所用などの、加湿機能付空気清浄装置として活用が期待されるものである。
【符号の説明】
【００４８】
１      加湿機能付空気清浄装置
２      吸気口
３      排気口
４      本体ケース
５      空気清浄手段
６      脱臭手段
６Ａ    脱臭手段
６Ｂ    脱臭手段
６Ｃ    脱臭手段
７      加湿手段
８      水槽
９      加湿フィルター部
１０    給水部
１１    フィルター枠部
１２    軸部
１３    回転手段
１４    送風手段
１５    水タンク
１６    第１の風路
１７    第２の風路
１８    第１の脱臭部
１８Ａ  第１の脱臭部
１８Ｂ  第１の脱臭部
１８Ｃ  第１の脱臭部
１９    第２の脱臭部
１９Ａ  第２の脱臭部
１９Ｂ  第２の脱臭部
１９Ｃ  第２の脱臭部
２０    活性炭保持体
２０Ａ  活性炭保持体
２０Ｂ  活性炭保持体
２０Ｃ  活性炭保持体
２１    活性炭
２２    カバー部
２３    第１の活性炭保持体
２３Ａ  第１の活性炭保持体
２３Ｂ  第１の活性炭保持体
２３Ｃ  第１の活性炭保持体
２４    第２の活性炭保持体
２４Ａ  第２の活性炭保持体
２４Ｂ  第２の活性炭保持体
２４Ｃ  第２の活性炭保持体
２５Ｃ  第３の脱臭部
２６Ｃ  第３の活性炭保持体
【図１】
0005510160.tif 000002
【図２】
0005510160.tif 000003
【図３】
0005510160.tif 000004
【図４】
0005510160.tif 000005
【図５】
0005510160.tif 000006
【図６】
0005510160.tif 000007
【図７】
0005510160.tif 000008